(57)【特許請求の範囲】
【請求項１】
試験室を備えた装置本体と、
該試験室内に設けられて加熱された熱源からなる加熱体と、
該加熱体上に載置される試料としての複数の半導体素子と、
該複数の半導体素子のピンをそれぞれ接続可能なピン孔を有して外方へ延出する接続ピンを備えた試料取付基板と、
上記接続ピンにより試料取付基板に隙間を隔てて対向して取付けられると共に電気特性を計測する素子と該素子と上記嵌合した接続ピンとを接続する配線とを備えた回路を有する電気特性調整基板とからなって、
上記試料取付基板には該試料取付基板に取付られた隣接する半導体素子の間に固定ネジを設け、該固定ネジは試料取付基板と直交する方向に延びており、該固定ネジを加熱ブロックに形成されたネジ孔に螺合して上記試料取付基板を加熱体に対して高さ調節可能に取り付けると共に、前記複数の半導体素子の基板を上記試料取付基板と加熱体との間で隙間無く挟んで上記試料取付基板を加熱体に固定し、
前記半導体素子の基板を加熱してその電気的特性を計測することを特徴とした試料加熱装置。
【請求項２】
電気特性調整基板に低温気体を流して温度を下げる冷却手段を設けてなることを特徴とする直接加熱装置。
【請求項３】
加熱体が上部に試料を載置可能なブロック体からなっており、該加熱体の温度を調整する温度調整部が設けられていることを特徴とする請求項１または２に記載の試料加熱装置。
【請求項４】
試料取付基板が、固定ネジによって加熱体に固着されると共に、試料取付基板と加熱体との間に試料が挟圧されて位置決めされてなることを特徴とする請求項１、２または３に記載の試料加熱装置。
【発明の詳細な説明】
【０００１】
【産業上の利用分野】
この発明は、試料を加熱しながら電気的特性を評価するための装置に関する。
【０００２】
【従来の技術】
半導体素子等の配線設計を確認する評価方法として、試料に加熱しながら電気的特性評価を行う方法が知られている。
その加熱の方法として、従来は試料に熱風を当てて加熱していた。
しかし、熱風を試験室内で循環させるために試料の近傍での温度調節が難しく、
試料に正確な温度を伝達することが難しかった。
更に、加熱しながら試料の電気的特性を評価する必要があるので、従来は、試料から配線を出して試験室の外部に設けた計測装置と接続する必要があった。
しかし、試料の周囲は高温に晒されているために、外部との接続が難しく、また試料によっては配線の抵抗や外部からのノイズの影響を受けてしまい電気的特性を正確に計測しえない虞れがあった。
【０００３】
【発明が解決しようとする課題】
この発明は上記事情に鑑みて創案されたものであって、その主たる課題は、試料を直接に加熱すると共に、試料を取付ける基板と電気特性を調整する基板からなって高温下において配線抵抗および外部からのノイズの影響を防止できるよう各基板間を最短距離で接続して電気的特性を計測する試料加熱装置を提供することにある。
【０００４】
【課題を解決するための手段】
この発明は上記課題を解決するため、請求項１の発明では、
試験室を備えた装置本体と、該試験室内に設けられて加熱された熱源からなる加熱体と、該加熱体上に載置される試料としての複数の半導体素子と、該複数の半導体素子のピンをそれぞれ接続可能なピン孔を有して外方へ延出する接続ピンを備えた試料取付基板と、上記接続ピンにより試料取付基板に隙間を隔てて対向して取付けられると共に電気特性を計測する素子と該素子と上記嵌合した接続ピンとを接続する配線とを備えた回路を有する電気特性調整基板とからなって、
上記試料取付基板に、該試料取付基板に取付られた隣接する半導体素子の間に設けて試料取付基板と直交する方向に延びる固定ネジを設け、該固定ネジを加熱ブロックに形成されたネジ孔に螺合して上記試料取付基板を加熱体に対して高さ調節可能に取り付けると共に、前記複数の半導体素子の基板を上記試料取付基板と加熱体との間で隙間無く挟んで上記試料取付基板を加熱体に固定し、前記半導体素子の基板を加熱してその電気的特性を計測してなる、という技術的手段を講じている。
また、請求項２の発明では、装置本体に、電気特性調整基板へ低温気体を流して温度を下げる冷却手段を設ける、という技術的手段を講じている。
更に、請求項３の発明では、加熱体が上部に試料を載置可能なブロック体からなっており、該加熱体の温度を調整する温度調整部が設けられる、という技術的手段を講じている。
また請求項４の発明では、試料取付基板が、固定ネジによって加熱体に固着されると共に、試料取付基板と加熱体との間に試料を挟圧する、という技術的手段を講じている。
【０００５】
【作用】
この発明の試料加熱装置によれば、加熱した加熱体へ直接に試料を接触させて高温を伝えるので、正確な高温を伝達することができる。
また、加熱体を直接に温度調節することもできるので、試料への温度供給が正確に行われる。
また、試料の電気的特性を計測するに際して、試料取付基板と電気特性調整基板の間を接続ピンにより最短距離で連結するので高温下において配線抵抗や外部からのノイズの影響を防止することができる。
更に、試料取付基板を固定ネジで加熱体に高さ調整可能に固着し、試料取付基板と加熱体との間に試料を挟圧するので、試料に加熱体の高温を効率よく且つ確実に伝導することができる。
【０００６】
【実施例】
以下に、この発明の試料加熱装置の好適実施例を図面を参照しつつ説明する。
この発明の試料加熱装置１は、図１から図５に示すように制御部２に試験室３を連接した装置本体４からなっている。
該試験室３は、ラッチを有する扉３Ａを備えた断熱壁で囲まれた箱型からなっており、底面の凹部に熱源からなる加熱体の一例として加熱ブロック５が固設されている。
【０００７】
この加熱ブロック５は、ヒーターＨをヒーターパネルで囲ってブロック状としたもので、制御部２に設けられた温度調整部６によって直接に所望の高温度に制御される。
この加熱ブロック５の上面は半導体素子等の試料７の接触側の面７’が隙間無く接触して熱が直接に伝導されるように試料７の接触側の面７’に合わせて水平面に設定されている。
一方、上記加熱ブロック５上にはネジ孔が設けられており、試料取付基板８が高さ方向の所望位置で固定ネジ１５によって取り付け可能となっている（図５参照）。
【０００８】
図６から図９に示すように、試料取付基板８は、基板に、試料７のピン７ａを嵌合するピン孔９ａを有する接続ピン９をピン孔９ａが下向きとなるように多数立設している。
ここで図８に示す試料取付基板８は、試料７を４つ取り付ける場合を例示したが、取り付ける試料数は１個からｎ個まで増減可能である。
この試料取付基板８のピン孔９ａに、加熱ブロック５上に載置された試料７のピン７ａを嵌込み接続し、その状態で試料７が加熱ブロック５に隙間無く衝合するように固定ネジ１５を締付けて、試料取付基板８を加熱ブロック５上に固定する。
これによって、試料７は試料取付基板８に取付けられ且つ挟圧されて加熱ブロック５に密着するよう保持されるので、加熱ブロック５から試料７に高温が効率よく且つ均一に伝導される。
【０００９】
この試料取付基板８に電気特性調整基板１０が着脱可能に連結される。
該電気特性調整基板１０は、上記接続ピン９を嵌め込むと共に嵌合した接続ピン９と導通可能な接続孔１１を上記接続ピン９に対応して配置している。
ここで図９の電気特性調整基板１０は、前記試料取付基板８に取り付けられた２つの試料７に対応するもので本実施例では１枚の試料取付基板８に２枚取り付けられる。
この電気特性調整基板１０は単品の試料に対応するものであっても、２つ以上の複数の試料に対応するものであってもよい。
そして、電気特性調整基板１０には、試料の所定の電気特性を計測する素子と該素子と上記接続孔１１とを接続する配線とを備えたマッチング回路１２が一体に取付けられている。
【００１０】
なお、図中１３は制御部２に設けられたパワースイッチ、１４はヒーターＨの加熱スイッチである。
また、装置本体４には、冷却装置１６を設けてもよい。
この冷却装置１６は、電気特性調整基板１０へ低温気体（窒素）を流して温度を下げる構成からなっている。
【００１１】
上記構成からなっているので、加熱ブロック５が設定された高温になると、直接に試料７が加熱されるので、温度を正確に伝達することができる。
また、試料７のピン７ａは試料取付基板８の接続ピン９のピン孔９ａに嵌込まれ、該接続ピン９は電気特性調整基板１０の接続孔１１を介してマッチング回路１２に接続されるので、試料７の電気的特性を計測することができる。
【００１２】
なお、上記実施例では、試料取付基板を固定ネジを用いて加熱体に固定する構造を例示したが、この発明で試料取付基板を一定位置に固定する構造は特に限定されず、着脱可能な固定手段で加熱体に固定される構造であると、試験室の側壁や別に設けた支持体に着脱可能な固定手段で固定されるものであるとを問わず、要するに試料取付基板は、試料を取り付け該試料を加熱体に押し付けた位置で拘束する構造が好ましい。
また、この発明では、試料取付基板を上記のように固定乃至拘束せず、これと連結される電気特性調整基板と共に自重だけで試料を加熱体上に衝合させる構造であってもよい。
【００１３】
【発明の効果】
以上のように、この試料加熱装置では、加熱した加熱体へ直接に試料を接触させて高温を伝えるので、正確な高温を伝達することができる。
また、試料の電気的特性を計測するに際して、試料取付基板と電気特性調整基板の間を接続ピンにより最短距離で連結するので高温下において配線抵抗や外部からのノイズの影響を防止することができ、正確な電気的特性を得ることができる。
【図面の簡単な説明】
【図１】  この発明の試料加熱装置の実施例を示す外観図である。
【図２】  図１の平面図である。
【図３】  同側面図である。
【図４】  同正面図である。
【図５】  （ａ）は試験室内の要部を示す正面から見た図、（ｂ）は同側面から見た図である。
【図６】  試料と試料取付基板と電気特性調整基板との接続状態を示す拡大図である。
【図７】  同取付状態を示す分解斜視図である。
【図８】  試料取付基板の一例を示す平面図である。
【図９】  電気特性調整基板の一例を示す平面図である。
【符号の説明】
１・・・試料加熱装置
２・・・制御部
３・・・試験室
４・・・装置本体
５・・・加熱ブロック
６・・・温度制御部
７・・・試料
８・・・試料取付基板
９・・・接続ピン
１０・・・電気特性調整基板
１１・・・接続孔
１２・・・マッチング回路
１５・・・固定ネジ
【図１】
0003670703.tif 000002
【図２】
0003670703.tif 000003
【図３】
0003670703.tif 000004
【図４】
0003670703.tif 000005
【図５】
0003670703.tif 000006
【図６】
0003670703.tif 000007
【図７】
0003670703.tif 000008
【図８】
0003670703.tif 000009
【図９】
0003670703.tif 000010